(57)【要約】【課題】  デジタル一眼レフカメラ等に搭載されるシャッタ装置において、駆動レバーの機械的抑止力を解除した時の反動でアマチャがヨークから脱落することのない十分な磁気的吸着力を、従来のシャッタ装置の構成、大きさを変えずに確保する。【解決手段】  アマチャ５の中央部を厚くするために突出部９を設け、突出部９の肩部をアマチャ５とヨーク１の２つの磁極１ａ、１ｂとの吸着方向に対して斜面とした。これにより、突出部９に磁束が流れてアマチャ５の中央部で起こる磁気飽和は緩和され、ヨーク１の磁極１ａ、１ｂとアマチャ５の吸着方向の対向面積が増えて多くの磁束が通り、より大きな吸着力を得る。ここで、突出部９はヨーク１の磁極１ａと１ｂの間とアマチャ５の空いている領域に設けるためシャッタ装置の構成や大きさは変化しない。【選択図】  図１
2006330051.tif 000002
【特許請求の範囲】
【請求項１】
コイルへの通電を断つことでシャッタの羽根を駆動するカメラ用シャッタ装置において、Ｕ字型のヨークとの吸着面の間のアマチャの中央部を前記ヨークとの吸着方向に厚くしたことを特徴とするシャッタ装置。
【請求項２】
請求項１において、前記アマチャの中央部の上面に突出部を設け、前記突出部の肩部を前記アマチャと前記ヨークの２つの磁極との吸着方向に対して斜面とすることを特徴とするシャッタ装置。
【請求項３】
請求項１において、前記アマチャの両端部より中央部へ前記アマチャの肉厚を前記ヨークの磁極側に凸となるように徐々に厚くして斜面を形成し、前記ヨークの２つの磁極も前記アマチャに合わせて斜面を形成することを特徴とするシャッタ装置。
【請求項４】
請求項１において、前記アマチャの中央部の下面に突出部を設けることを特徴とするシャッタ装置。
【発明の詳細な説明】
【技術分野】
【０００１】
本発明は、コイルへの通電を断つことでシャッタの羽根を駆動するカメラ用シャッタ装置に関する。
【背景技術】
【０００２】
従来の電磁石を用いたカメラ用シャッタ装置は、図６〜図８に示すものがある。図６は分解斜視図、図７は図６の２つある羽根駆動装置の１つを拡大したＡ矢視図、図８は図６の２つある羽根駆動装置の１つを拡大したＢ矢視図である。先羽根と後羽根それぞれにＵ字型のヨーク１、コイル２、駆動レバー３、バネ４、アマチャ５のユニットが取り付けられており、独立して駆動する。ここで、ヨーク１の２つの磁極をヨーク１のコイル２が巻かれていない側の磁極１ａ、ヨーク１のコイル２が巻かれている側の磁極１ｂと呼ぶ。ヨーク１はビス７によってシャッタ地板に取り付けられている。コイル２はボビン８を介してヨーク１に巻かれている。３はバネ４を中心として回転可能な駆動レバーで、レバー部の先端側に取付軸６によりアマチャ５が取り付けられており、図７の矢印が示すようにバネ４によって時計回りの駆動力がついている。このように構成されたシャッタ装置が、特開平７−１２８７０６号に記載されている。
【０００３】
以下に羽根の駆動について説明する。アマチャ５を駆動レバーで機械的にヨーク１まで持ち上げ、コイル２に通電してアマチャ５をヨーク１に吸着させた後、機械的抑止力を解除して磁気力のみで保持する。この状態でコイル２の通電を断つと、バネ力によりヨーク１からアマチャ５が離れて駆動レバー３ごと時計回りし、これに連動して羽根が駆動する仕組みである。
【特許文献１】特開平７−１２８７０６号公報
【発明の開示】
【発明が解決しようとする課題】
【０００４】
しかしながら、上記の従来例では機械的抑止力を解除したとき、その反動でアマチャ５がヨーク１から離れてしまうことがあった。
【０００５】
本問題を解決するために、これまでアマチャ５の吸着面を平滑化し、接触部における磁気ギャップを極力なくすことで、全体としての磁気抵抗を低減し、吸着力を上げることを行ってきた。しかし、本問題を解決するにはこれだけでは不十分であった。
【０００６】
本発明ではこのような問題を解決するために、ヨーク１の磁極１ａ、１ｂとアマチャ５の吸着力を上げることを目的とする。
【課題を解決するための手段】
【０００７】
上記の問題を解決するために、第１の発明は、コイルへの通電を断つことでシャッタの羽根を駆動するカメラ用シャッタ装置において、前記ヨークとの吸着面の間の前記アマチャの中央部を前記ヨークとの吸着方向に厚くすることを特徴とするものである。
【０００８】
この構成によれば、前記ヨークと前記アマチャが作る磁気回路のうち前記アマチャの中央部で起こる磁気飽和が緩和され、透磁率が上がって多くの磁束が通るようになり、前記ヨークの磁極と前記アマチャの吸着力が上がる。
【０００９】
第２の発明は、第１の発明において前記アマチャの中央部の上面に突出部を設け、前記突出部の肩部を前記アマチャと前記ヨークの２つの磁極との吸着方向に対して斜面とすることを特徴とするものである。
【００１０】
この構成によれば、第１の発明と同様の作用により前記ヨークの磁極と前記アマチャの吸着力が上がると共に、前記ヨークと前記アマチャの吸着方向の対向面積が増えるため、より吸着力が上がる。なお、前記ヨークの磁極間の空間に前記アマチャの前記突出部を設けたことにより、従来のシャッタ装置の構成、大きさは変化しない。
【００１１】
第３の発明は、第１の発明において前記アマチャの両端部より中央部へ前記アマチャの肉厚を前記ヨークの磁極側に凸となるように徐々に厚くして斜面を形成し、前記ヨークの２つの磁極も前記アマチャに合わせて斜面を形成することを特徴とするものである。
【００１２】
この構成によれば、第２の発明と同様の作用により前記ヨークの磁極と前記アマチャの吸着力が上がると共に、第２の発明の構成に比べて前記アマチャの磁路の断面積が大きくなり、磁気飽和がより緩和される。
【００１３】
第４の発明は、第１の発明において前記アマチャの中央部の下面に突出部を設けることを特徴とするものである。
【００１４】
この構成によれば、第１の発明と同様の作用により前記ヨークの磁極と前記アマチャの吸着力が上がる。駆動レバーと前記アマチャの空間に突出部を設けたことにより、従来のシャッタ装置の構成、大きさは変化しない。さらに、前記突出部は前記ヨークと対向しないため、斜面に加工する必要がなく、前記アマチャの加工が容易である。
【発明の効果】
【００１５】
以上説明したように、アマチャ５の中央部を厚くすることでアマチャ５の中央部で起こる磁気飽和を緩和でき、透磁率が上がって多くの磁束が通りヨーク１の磁極１ａ、１ｂとアマチャ５の吸着力を上げることができた。また、ヨーク１とアマチャ５の吸着方向の対向面積を増やすことでも、ヨーク１の磁極１ａ、１ｂとアマチャ５の吸着力を上げることができた。これらの効果は、シャッタ装置の構成や大きさに影響を与えずに得ることができる。以上より、駆動レバー３の機械的抑止力を解除したときの反動でヨーク１からアマチャ５が脱落することを防ぐことができた。
【発明を実施するための最良の形態】
【００１６】
（第１の実施例）
図１は、本発明の第１の実施例であるカメラ用シャッタ装置の一部を示す平面図であり、図６のシャッタ装置のＢ矢視図で図８の従来例を変更したものである。
【００１７】
この装置は図１に示すように、Ｕ字型ヨーク１、ヨーク１のコイル２が巻かれていない側の磁極１ａ、ヨーク１のコイル２が巻かれている側の磁極１ｂ、励磁するためのコイル２、不図示のバネに連動する駆動レバー３、駆動レバー３の取付軸６と一体のアマチャ５、ヨーク１を不図示のシャッタ装置に固定するビス７、コイル２を巻くためのボビン８を有する。図１は、コイル２に通電し、ヨーク１が励磁されてアマチャ５を吸着している状態を示す。
【００１８】
本実施例において、アマチャ５は、図１に示すように、ヨーク１の磁極１ａと１ｂの間の空間に収まるように中央部に突出部９を有する。また、突出部９は突出部９とヨーク１の磁極１ａとの吸着面である斜面（この部分を肩部と呼ぶ）９ａ、突出部９とヨーク１の磁極１ｂとの吸着面である斜面９ｂを有する。ヨーク１の磁極１ａ、１ｂも図１に示すように、アマチャ５の突出部９との吸着面は突出部９の斜面９ａ、９ｂと合うように斜面１ａ’、１ｂ’を有する。ここで、ヨーク１の磁極１ａ、１ｂはそれぞれ斜面１ａ’、１ｂ’を含む吸着面を表している。
【００１９】
本シャッタ装置の動作であるが、従来例と比較して本発明はアマチャ５およびヨーク１の磁極１ａ、１ｂの形状を変更しただけのものであり、従来例と同様であるためここではその説明を省略する。
【００２０】
次に従来のシャッタ装置と本発明のシャッタ装置のコイル２に通電したときの磁束の様子をシミュレーションした結果をそれぞれ図２、図３に示す。計算モデルはヨーク１、コイル２、アマチャ５で構成されており、ヨーク１は吸着力に影響のない程度に簡略化した形状となっている。ここで、図２および図３は計算条件を統一し、アマチャ５の形状のみを変更した計算を行っている。
【００２１】
本発明では、突出部９を設けたことにより、多くの磁束を通すことができ、また吸着し合う部分の面積を増やすことができるという２つの特長が得られる。この２つの特長により、ヨーク１の磁極１ａ、１ｂとアマチャ５の吸着力が上がる。
【００２２】
以下に第１の特長について詳細に説明する。
【００２３】
図８に示すような従来のシャッタ装置では、図２に示すように、コイル２に通電するとアマチャ５の中央部で磁束が集中し、磁気飽和が起こる。図２のシミュレーション結果より、ヨークに流れる全体の磁束は２．２４［μＷｂ］であることがわかった。一方、図１に示すような本発明の第１の実施例では、図３に示すように、突出部９に磁束が通るため、アマチャ５の中央部での磁気飽和が緩和される。図３のシミュレーション結果から、全体の磁束は２．８４［μＷｂ］であることがわかり、従来のシャッタ装置に比べて約１．３倍磁束が通ることがわかった。したがって、本発明では、突出部９を設けたことで突出部９に磁束が通り、アマチャ５の中央部で起こる磁気飽和を緩和でき、透磁率が上がってより多くの磁束を通すことができるようになり、ヨーク１の磁極１ａ、１ｂとアマチャ５の吸着力増大につながる効果をもつ。
【００２４】
次に第２の特長について詳細に説明する。
【００２５】
本発明の第１の実施例では、図１に示すように、従来のシャッタ装置である図８と比較してヨーク１の磁極１ａ、１ｂとアマチャ５の吸着方向の対向面積が増え、図３からわかるようにその突出部９に磁束が通る。これによりお互いに吸着し合う部分の面積が増大し、また従来のシャッタ装置のアマチャ５と飽和磁束密度は変わらないことから、ヨーク１の磁極１ａ、１ｂとアマチャ５の吸着力が上がる。
【００２６】
以上本発明により２つの特長が得られ、ヨーク１の磁極１ａ、１ｂとアマチャ５の吸着力を上げることができた。図２および図３のシミュレーション結果より、従来のシャッタ装置の吸着力が０．８７［Ｎ］に対して、本発明の第１の実施例の吸着力は１．１３［Ｎ］となり約１．３倍増加することを確認した。また、実機でも同様に吸着力の増加を確認した。
【００２７】
これら２つの特長は、ヨーク１の磁極１ａと１ｂの間の空間に収まるように突出部９を設けているためシャッタ装置の構成や大きさに影響を与えずに得ることができる。
【００２８】
（第２の実施例）
図４は図６のシャッタ装置のＢ矢視図で図８の従来例を変更したものであり、本発明の第２の実施例であるカメラ用シャッタ装置の一部を示す平面図である。
【００２９】
この装置は図１と同様の構成であり、異なる点としてアマチャ５の両端部より中央部へアマチャ５の肉厚をヨーク１の磁極側に凸となるように徐々に厚くして斜面を形成し、ヨーク１の２つの磁極もアマチャ５に合わせて斜面を形成している。
【００３０】
このような構成でも第１の実施例と同様の特長が得られ、ヨーク１の磁極１ａ、１ｂとアマチャ５の吸着力が上がる。また、第１の実施例に比べてアマチャ５の磁路の断面積が大きくなるため、より磁気飽和が緩和される。第１の実施例では、アマチャ５のヨーク１の磁極との吸着面である上面の面の数が、ヨーク１の磁極１ａ、１ｂとの吸着面はそれぞれ２面ずつあり、ヨーク１の磁極間である中央部の１面と合わせて５面有する。一方、本実施例では、アマチャ５とヨーク１の磁極との吸着面１０ａ、１０ｂの２面となり、アマチャ５は第１の実施例に比べて面の数が少なくてすむことから、加工が容易であるという特長がある。
【００３１】
（第３の実施例）
図５は図６のシャッタ装置のＢ矢視図で図８の従来例を変更したものであり、本発明の第３の実施例であるカメラ用シャッタ装置の一部を示す平面図である。
【００３２】
この装置は図１と同様の構成であり、異なる点としてアマチャ５の下面に突出部１１を設けている。
【００３３】
このような構成でも第１の実施例と同様の特長が得られ、ヨーク１の磁極１ａ、１ｂとアマチャ５の吸着力が上がる。また、本実施例ではアマチャ５に突出部１１を設けているだけであるので、シャッタ装置の構成、大きさに影響を与えずに効果が得られる。さらに、突出部１１はヨーク１と対向しないため、斜面に加工する必要がなく、第１の実施例の構成に比べてアマチャ５の加工が容易であるという特徴がある。
【図面の簡単な説明】
【００３４】
【図１】本発明の第１の実施例を示す要部平面図。
【図２】シミュレーションにより求めた従来のシャッタ装置の磁束線図。
【図３】シミュレーションにより求めた本発明の第１の実施例の磁束線図。
【図４】本発明の第２の実施例を示す要部平面図。
【図５】本発明の第３の実施例を示す要部平面図。
【図６】従来のシャッタ装置の分解斜視図。
【図７】図６のＡ矢視図。
【図８】図６のＢ矢視図。
【符号の説明】
【００３５】
１  ヨーク
１ａ  コイル２が巻かれていない側のヨーク１の磁極
１ｂ  コイル２が巻かれている側のヨーク１の磁極
２  コイル
３  駆動レバー
４  バネ
５  アマチャ
６  取付軸
７  ビス
８  ボビン
９  突出部（アマチャ上面）
９ａ  コイル２が巻かれていない側の突出部９の斜面
９ｂ  コイル２が巻かれている側の突出部９の斜面
１０ａ  コイル２が巻かれていない側のアマチャ５の斜面
１０ｂ  コイル２が巻かれている側のアマチャ５の斜面
１１  突出部（アマチャ下面）
【図１】
2006330051.tif 000003
【図２】
2006330051.tif 000004
【図３】
2006330051.tif 000005
【図４】
2006330051.tif 000006
【図５】
2006330051.tif 000007
【図６】
2006330051.tif 000008
【図７】
2006330051.tif 000009
【図８】
2006330051.tif 000010